(57)【要約】【課題】必要な条件下でのみ放射線技師長（承認者）の承認が必要なワークフローとすることで、誤曝射による被写体の負担増を回避すると共に、当該ワークフローの手間を軽減して効率の良い放射線撮影を実現する。【解決手段】放射線画像撮影システム及び操作権限管理システム（１０）において、一方の操作者（２０ａ）による一方の端末（２２ａ）の操作によって調整されたパラメータが基準範囲から外れていた場合、一方の操作者（２０ａ）よりも大きな権限を付与された他方の操作者（２０ｂ）が他方の端末（２２ｂ）を操作して当該パラメータに対する指示入力を行うまでは、一方の操作者（２０ａ）による放射線撮影の指示に応じた一方の端末（２２ａ）の操作を不許可とする。【選択図】図１
2015043912.tif 000002
【特許請求の範囲】
【請求項１】
同一の撮影オーダを操作可能な複数の端末を有し、前記撮影オーダに従って被写体を透過した放射線を放射線撮像装置により放射線画像に変換する放射線撮影を行う放射線画像撮影システムにおいて、
前記撮影オーダに含まれる前記放射線撮影の撮影条件に応じたパラメータの適正な基準範囲を設定する基準範囲設定部と、
前記被写体に応じて、いずれか１つの端末の操作者が当該端末を操作して前記パラメータを調整した場合に、調整した前記パラメータが前記基準範囲に含まれているか否かを判定する設定範囲判定部と、
前記設定範囲判定部の判定結果に基づいて、前記操作者による前記放射線撮影の指示に関わる前記端末の操作を許可又は不許可とする操作可否制御部と、
前記各端末を操作する操作者の属性を判定する操作者属性判定部と、
前記属性毎に前記放射線撮影に対する前記各操作者の権限を設定する権限設定部と、
をさらに有し、
一方の操作者による一方の端末の操作によって調整されたパラメータが前記基準範囲に納まっていると前記設定範囲判定部が判定した場合、前記操作可否制御部は、前記一方の操作者による前記放射線撮影の指示に応じた前記一方の端末の操作を許可し、
調整された前記パラメータが前記基準範囲から外れていると前記設定範囲判定部が判定した場合、前記操作可否制御部は、前記権限設定部によって前記一方の操作者よりも大きな権限を付与された他方の操作者が他方の端末を操作して当該パラメータに対する指示入力を行うまでは、前記一方の操作者による前記放射線撮影の指示に応じた前記一方の端末の操作を不許可とすることを特徴とする放射線画像撮影システム。
【請求項２】
請求項１記載の放射線画像撮影システムにおいて、
前記基準範囲設定部は、前記操作者毎に前記基準範囲を調整することを特徴とする放射線画像撮影システム。
【請求項３】
請求項１又は２記載の放射線画像撮影システムにおいて、
前記パラメータは、前記放射線の線量に関わる情報を含み、
前記撮影条件は、前記被写体に関わる情報、前記操作者に関わる情報及び前記放射線撮像装置に関わる情報を含むことを特徴とする放射線画像撮影システム。
【請求項４】
請求項１〜３のいずれか１項に記載の放射線画像撮影システムにおいて、
前記操作者属性判定部は、前記操作者が前記端末を操作して入力したログインユーザ情報又は端末識別情報に基づいて、前記操作者の属性を判定することを特徴とする放射線画像撮影システム。
【請求項５】
請求項１〜４のいずれか１項に記載の放射線画像撮影システムにおいて、
前記各操作者は、放射線技師であり、
前記権限設定部は、
前記属性が一般放射線技師及び放射線技師長である場合に、前記一般放射線技師及び前記放射線技師長毎に前記パラメータの調整可能範囲を前記権限として設定するか、
又は、前記放射線技師毎に前記パラメータの調整可能範囲を前記権限として設定し、設定した前記調整可能範囲の大きさに応じて前記権限の順位を定めることを特徴とする放射線画像撮影システム。
【請求項６】
請求項１〜５のいずれか１項に記載の放射線画像撮影システムにおいて、
前記他方の操作者が前記他方の端末を操作して前記パラメータに対する指示入力を行った場合、前記操作可否制御部は、前記パラメータの再調整を禁止することを特徴とする放射線画像撮影システム。
【請求項７】
請求項１〜６のいずれか１項に記載の放射線画像撮影システムにおいて、
前記一方の操作者が前記一方の端末を操作することにより前記放射線撮影が指示されると、前記操作可否制御部は、前記各端末での前記放射線撮影に対応する撮影オーダの調整を禁止することを特徴とする放射線画像撮影システム。
【請求項８】
請求項１〜７のいずれか１項に記載の放射線画像撮影システムにおいて、
前記一方の操作者が前記一方の端末を操作することにより前記放射線撮影が指示されると、前記操作可否制御部は、前記各端末に対する所定の操作を不許可とすることを特徴とする放射線画像撮影システム。
【請求項９】
同一の撮影オーダを操作可能な複数の端末を有し、前記撮影オーダに従って被写体を透過した放射線を放射線撮像装置により放射線画像に変換する放射線撮影が行われる際に、前記各端末を操作する操作者の操作権限を管理するための操作権限管理システムにおいて、
前記撮影オーダに含まれる前記放射線撮影の撮影条件に応じたパラメータの適正な基準範囲を設定する基準範囲設定部と、
前記被写体に応じて、いずれか１つの端末の操作者が当該端末を操作して前記パラメータを調整した場合に、調整した前記パラメータが前記基準範囲に含まれているか否かを判定する設定範囲判定部と、
前記設定範囲判定部の判定結果に基づいて、前記操作者による前記放射線撮影の指示に関わる前記端末の操作を許可又は不許可とする操作可否制御部と、
前記各端末を操作する操作者の属性を判定する操作者属性判定部と、
前記属性毎に前記放射線撮影に対する前記各操作者の権限を設定する権限設定部と、
をさらに有し、
一方の操作者による一方の端末の操作によって調整されたパラメータが前記基準範囲に納まっていると前記設定範囲判定部が判定した場合、前記操作可否制御部は、前記一方の操作者による前記放射線撮影の指示に応じた前記一方の端末の操作を許可し、
調整された前記パラメータが前記基準範囲から外れていると前記設定範囲判定部が判定した場合、前記操作可否制御部は、前記権限設定部によって前記一方の操作者よりも大きな権限を付与された他方の操作者が他方の端末を操作して当該パラメータに対する指示入力を行うまでは、前記一方の操作者による前記放射線撮影の指示に応じた前記一方の端末の操作を不許可とすることを特徴とする操作権限管理システム。
【発明の詳細な説明】
【技術分野】
【０００１】
本発明は、同一の撮影オーダを操作可能な複数の端末を有し、前記撮影オーダに従って被写体を透過した放射線を放射線撮像装置により放射線画像に変換する放射線撮影を行うための放射線画像撮影システム及び操作権限管理システムに関する。
【背景技術】
【０００２】
病院等の施設において、患者等の被写体に対して放射線撮影を行う場合、撮影オーダに従って被写体に放射線を照射することにより、該被写体を透過した放射線が放射線撮像装置で放射線画像に変換される。
【０００３】
ところで、当該施設においては、放射線の取り扱いに関して管理責任を持つ放射線技師（例えば、放射線技師長）及び一般放射線技師がチームとなって放射線科を運営する場合がある。この場合、一般放射線技師は、被写体の状況に応じて、撮影オーダに含まれる放射線撮影に関わるパラメータ（管電圧、ｍＡｓ値（管電流及び照射時間の積）、ＳＩＤ（放射線源と放射線撮像装置との間の距離）等の放射線の線量に関わる情報）を適宜調整し、調整したパラメータを含む撮影オーダの内容について放射線技師長の承認を得た後に、調整後の撮影オーダにて放射線撮影を実行する。
【０００４】
その際、例えば、放射線技師長及び一般放射線技師が端末をそれぞれ所持することにより同一の撮影オーダを把握できる状態とし、一般放射線技師が端末を操作することによりパラメータを調整し、一方で、放射線技師長が端末を操作することにより当該パラメータを含む撮影オーダに対して承認を与えればよい。
【０００５】
なお、特許文献１には、放射線技師の識別情報及び撮影オーダを対応付けて制御装置から携帯端末に送信し、当該携帯端末において放射線技師の認証を行い、当該放射線技師が認証された場合にのみ、撮影オーダを表示することが開示されている。
【先行技術文献】
【特許文献】
【０００６】
【特許文献１】特開２００４−２９０３１８号公報
【発明の概要】
【発明が解決しようとする課題】
【０００７】
しかしながら、従来は、放射線技師長等の承認者の承認が無ければ次の処理に進めず、しかも、一般放射線技師が操作する毎に承認者の承認が必要となる。そのため、撮影オーダの登録から放射線撮影の完了までの一連のワークフローの処理が煩雑となる。
【０００８】
そこで、一部の処理に対する承認を省いたり、あるいは、端末の利用者（放射線技師）毎にパラメータの調整可能範囲を予め設定し、設定された調整可能範囲を各利用者の権限とすることが考えられる。しかしながら、一般放射線技師が調整したパラメータが不適切なパラメータの値であった場合、承認者の承認を得ること無く、当該調整後のパラメータを含む撮影オーダにて放射線撮影が行われると、被写体に対する誤曝射が発生して再撮影となる。この結果、被写体の負担が却って増加する。
【０００９】
なお、前述した特許文献１の技術は、携帯端末が放射線技師の認証を行い、当該放射線技師が認証された場合にのみ、撮影オーダを表示するものであり、上記の問題を解決するための対策については、示唆されていない。
【００１０】
本発明は、上記した問題を解決するためになされたもので、必要な条件下でのみ放射線技師長（承認者）の承認が必要なワークフローとすることで、誤曝射による被写体の負担増を回避すると共に、当該ワークフローの手間を軽減して効率の良い放射線撮影を実現することができる放射線画像撮影システム及び操作権限管理システムを提供することを目的とする。
【課題を解決するための手段】
【００１１】
本発明は、同一の撮影オーダを操作可能な複数の端末を有し、前記撮影オーダに従って被写体を透過した放射線を放射線撮像装置により放射線画像に変換する放射線撮影を行う放射線画像撮影システムに関する。また、本発明は、前記放射線撮影が行われる際に、前記各端末を操作する操作者の操作権限を管理するための操作権限管理システムに関する。
【００１２】
そして、上記の目的を達成するために、本発明は、下記の特徴を有する。
【００１３】
すなわち、前記放射線画像撮影システム及び前記操作権限管理システムは、基準範囲設定部、設定範囲判定部、操作可否制御部、操作者属性判定部及び権限設定部をさらに有する。
【００１４】
前記基準範囲設定部は、前記撮影オーダに含まれる前記放射線撮影の撮影条件に応じたパラメータの適正な基準範囲を設定する。前記設定範囲判定部は、前記被写体に応じて、いずれか１つの端末の操作者が当該端末を操作して前記パラメータを調整した場合に、調整した前記パラメータが前記基準範囲に含まれているか否かを判定する。前記操作可否制御部は、前記設定範囲判定部の判定結果に基づいて、前記操作者による前記放射線撮影の指示に関わる前記端末の操作を許可又は不許可とする。前記操作者属性判定部は、前記各端末を操作する操作者の属性を判定する。前記権限設定部は、前記属性毎に前記放射線撮影に対する前記各操作者の権限を設定する。
【００１５】
そして、一方の操作者による一方の端末の操作によって調整されたパラメータが前記基準範囲に納まっていると前記設定範囲判定部が判定した場合、前記操作可否制御部は、前記一方の操作者による前記放射線撮影の指示に応じた前記一方の端末の操作を許可する。
【００１６】
また、調整された前記パラメータが前記基準範囲から外れていると前記設定範囲判定部が判定した場合、前記操作可否制御部は、前記権限設定部によって前記一方の操作者よりも大きな権限を付与された他方の操作者が他方の端末を操作して当該パラメータに対する指示入力を行うまでは、前記一方の操作者による前記放射線撮影の指示に応じた前記一方の端末の操作を不許可とする。
【００１７】
本発明によれば、一方の操作者（例えば、一般放射線技師）が調整したパラメータが基準範囲に納まっていれば、放射線撮影に関して所定の権限（一方の操作者よりも大きな権限）を付与された他方の操作者（例えば、放射線技師長等の承認者）の承認を得ること無く、調整後のパラメータを含む撮影オーダにて放射線撮影が行われる。また、前記一方の操作者が調整したパラメータが前記基準範囲から外れていれば、前記他方の操作者の承認（指示入力）を得るまでは一方の端末の操作が不許可となり、放射線撮影が実行されない。
【００１８】
これにより、前記一方の操作者（一般放射線技師）が不適切なパラメータを設定して放射線撮影を行うことに起因して、被写体に対する誤曝射が発生することが回避され、当該被写体の負担を軽減することができる。
【００１９】
また、前記一方の操作者が調整したパラメータが前記基準範囲から外れた場合にのみ前記他方の操作者の承認が必要となるため、前記承認に対する判断のために前記他方の操作者が費やす時間が削減され、当該他方の操作者の負担を軽減することができる。前記一方の操作者についても、前記他方の操作者に対して承認を求めるべきかどうかを考えること無く、前記放射線撮影に関わる作業を行うことができ、当該作業に対する判断に迷うことも無くなる。
【００２０】
このように、本発明では、必要な条件下（パラメータが基準範囲から外れた場合）でのみ放射線技師長（承認者）の承認が必要なワークフローとなっているため、誤曝射による被写体の負担増を回避すると共に、当該ワークフローの手間を軽減して効率の良い放射線撮影を実現することができる。この結果、前記ワークフローの遅延が回避され、放射線画像撮影システム及び操作権限管理システムを採用している施設の信頼性を確保することができる。
【００２１】
ここで、前記基準範囲設定部は、前記操作者毎に前記基準範囲を調整してもよい。例えば、放射線技師長であれば基準範囲を広範囲に設定して大きな権限を与え、一方で、一般の放射線技師については、基準範囲を狭く設定して小さな権限に留める。このように、放射線技師の技量（レベル）に応じて基準範囲（権限）を調整することにより、上述の効果を容易に達成することができる。
【００２２】
また、前記パラメータは、前記放射線の線量に関わる情報を含み、前記撮影条件は、前記被写体に関わる情報、前記操作者に関わる情報及び前記放射線撮像装置に関わる情報を含む。これにより、前記撮影条件の組み合わせ毎に前記基準範囲を設定することができる。
【００２３】
なお、前記放射線の線量に関わる情報には、管電圧、ｍＡｓ値（管電流及び照射時間）、ＳＩＤ（放射線源と放射線撮像装置との間の距離）が含まれる。また、前記被写体に関わる情報としては、前記被写体の撮影部位、年齢、性別、体型が含まれる。前記放射線撮像装置に関わる情報としては、当該放射線撮像装置の種類が含まれる。
【００２４】
また、前記操作者属性判定部は、前記操作者が前記端末を操作して入力したログインユーザ情報又は端末識別情報に基づいて、前記操作者の属性を判定すればよい。
【００２５】
さらに、前記各操作者は、放射線技師であり、前記権限設定部は、前記属性が一般放射線技師及び放射線技師長である場合に、前記一般放射線技師及び前記放射線技師長毎に前記パラメータの調整可能範囲を前記権限として設定するか、又は、前記放射線技師毎に前記パラメータの調整可能範囲を前記権限として設定し、設定した前記調整可能範囲の大きさに応じて前記権限の順位を定めればよい。
【００２６】
さらに、前記他方の操作者が前記他方の端末を操作して前記パラメータに対する指示入力を行った場合、前記操作可否制御部は、前記パラメータの再調整を禁止してもよい。これにより、権限のある前記他方の操作者が一旦決定したパラメータについて、前記一方の操作者は再操作できなくなる。この結果、前記パラメータの値が勝手に変更されて、前記被写体に対する誤曝射が発生することを確実に回避することができる。
【００２７】
また、前記一方の操作者が前記一方の端末を操作することにより前記放射線撮影が指示されると、前記操作可否制御部は、前記各端末での前記放射線撮影に対応する撮影オーダの調整を禁止してもよい。これにより、一旦決定したパラメータを含む撮影オーダについて、当該パラメータが勝手に再調整されることを確実に阻止することができる。
【００２８】
前記一方の操作者が前記一方の端末を操作することにより前記放射線撮影が指示されると、前記操作可否制御部は、前記各端末に対する所定の操作を不許可とすればよい。この場合でも、一旦決定したパラメータを含む撮影オーダについて、当該パラメータが勝手に再調整されることを確実に阻止することができる。
【発明の効果】
【００２９】
本発明によれば、必要な条件下（パラメータが基準範囲から外れた場合）でのみ放射線技師長（承認者）の承認が必要なワークフローとなっているため、誤曝射による被写体の負担増を回避すると共に、当該ワークフローの手間を軽減して効率の良い放射線撮影を実現することができる。この結果、前記ワークフローの遅延が回避され、放射線画像撮影システム及び操作権限管理システムを採用している施設の信頼性を確保することができる。
【図面の簡単な説明】
【００３０】
【図１】本実施形態に係る放射線画像撮影システムが適用される病院の放射線科の説明図である。
【図２】図１の第１操作端末及び第２操作端末のブロック図である。
【図３】図２のパラメータ範囲設定テーブルに格納されたテーブルの一例を示す説明図である。
【図４】本実施形態に係る放射線画像撮影システムの動作を示すフローチャートである。
【図５】図５Ａ及び図５Ｂは、基準範囲とパラメータの調整とを示す説明図である。
【図６】図６Ａ及び図６Ｂは、パラメータを調整する際の表示部の表示内容を示す説明図である。
【発明を実施するための形態】
【００３１】
本発明に係る放射線画像撮影システム及び操作権限管理システムについて、好適な実施形態を挙げ、添付の図面を参照しながら、以下詳細に説明する。
【００３２】
［放射線画像撮影システム（操作権限管理システム）の構成］
図１に示すように、本実施形態に係る放射線画像撮影システム（操作権限管理システム）１０は、例えば、病院（施設）の放射線科１２に適用される。図１には、放射線科１２に処理室１４と、第１撮影室１６ａ及び第２撮影室１６ｂとが設けられている場合を図示している。処理室１４には、放射線科１２における放射線画像の撮影処理を管理する放射線科情報システム（ＲＩＳ）としてのオーダ管理装置１８が配置されている。
【００３３】
また、放射線科１２には、一般放射線技師（例えば、経験の浅い放射線技師）である放射線技師２０ａと、放射線技師長等の放射線技師２０ａよりも放射線の取り扱いに関して大きな権限（放射線に対する管理責任）を有する放射線技師２０ｂとがいる。放射線技師２０ａ、２０ｂは、チームを組んで放射線撮影を行っており、携帯型のコンソールである第１操作端末（一方の端末）２２ａ及び第２操作端末（他方の端末）２２ｂをそれぞれ所持している。なお、第１操作端末２２ａ及び第２操作端末２２ｂとしては、例えば、タッチパネルを備えたタブレット型の携帯端末であることが好ましい。
【００３４】
第１撮影室１６ａには、放射線源２４ａと、放射線源２４ａから出力されて被写体２６ａを透過した放射線２８ａを放射線画像に変換する第１放射線撮像装置３０ａとが配置されている。従って、第１撮影室１６ａでは、可搬式の第１放射線撮像装置３０ａにより被写体２６ａに対する放射線撮影が行われる。
【００３５】
第２撮影室１６ｂには、放射線源２４ｂと、放射線源２４ｂから出力されて被写体２６ｂを透過した放射線２８ｂを放射線画像に変換する第２放射線撮像装置３０ｂとが配置されている。従って、第２撮影室１６ｂでは、可搬型の第２放射線撮像装置３０ｂにより被写体２６ｂに対する放射線撮影が行われる。
【００３６】
第１放射線撮像装置３０ａ及び第２放射線撮像装置３０ｂは、放射線２８ａ、２８ｂを放射線画像に応じた電気信号に変換する電子カセッテであることが好ましい。
【００３７】
この場合、第１操作端末２２ａ及び第２操作端末２２ｂは、アンテナ３２ａ、３２ｂをそれぞれ有すると共に、オーダ管理装置１８は、アンテナ３４を有する。これにより、第１操作端末２２ａ、第２操作端末２２ｂ及びオーダ管理装置１８間では、無線による信号の送受信が可能である。
【００３８】
また、放射線源２４ａ、２４ｂは、アンテナ３６ａ、３６ｂをそれぞれ有すると共に、第１放射線撮像装置３０ａ及び第２放射線撮像装置３０ｂは、アンテナ３８ａ、３８ｂをそれぞれ有する。そのため、第１操作端末２２ａ及び第２操作端末２２ｂは、無線を介して放射線源２４ａ、２４ｂを制御することにより、該放射線源２４ａ、２４ｂから放射線２８ａ、２８ｂを出力させることが可能である。また、第１放射線撮像装置３０ａ及び第２放射線撮像装置３０ｂは、取得した放射線画像を無線により第１操作端末２２ａ及び第２操作端末２２ｂにそれぞれ送信可能である。
【００３９】
図２は、第１操作端末２２ａ及び第２操作端末２２ｂのブロック図である。第１操作端末２２ａ及び第２操作端末２２ｂは、互いに同一構成である。
【００４０】
すなわち、第１操作端末２２ａ及び第２操作端末２２ｂは、それぞれ、アンテナ３２ａ、３２ｂを介してオーダ管理装置１８等との間で信号の送受信を行う送受信部４０ａ、４０ｂと、第１操作端末２２ａ及び第２操作端末２２ｂ内の各部を制御する制御部４２ａ、４２ｂとを有する。
【００４１】
また、第１操作端末２２ａ及び第２操作端末２２ｂ内において、制御部４２ａ、４２ｂには、それぞれ、オーダ情報記憶部４４ａ、４４ｂ、入力操作部４６ａ、４６ｂ、表示部４８ａ、４８ｂ、画像処理部５０ａ、５０ｂ、画像記憶部５２ａ、５２ｂ、撮影条件記憶部５４ａ、５４ｂ、パラメータ範囲設定テーブル５６ａ、５６ｂ、基準範囲設定部５８ａ、５８ｂ、操作者属性判定部６０ａ、６０ｂ、調整許可範囲設定部（権限設定部）６２ａ、６２ｂ、設定範囲判定部６４ａ、６４ｂ、操作可否制御部６６ａ、６６ｂ、検査開始ボタン６８ａ、６８ｂ、承認ボタン７０ａ、７０ｂ及び照射開始ボタン７２ａ、７２ｂが接続されている。
【００４２】
オーダ管理装置１８（図１参照）は、被写体２６ａ、２６ｂに対する放射線撮影を依頼する撮影オーダを発行し、無線により第１操作端末２２ａ及び第２操作端末２２ｂに送信する。第１操作端末２２ａ及び第２操作端末２２ｂの送受信部４０ａ、４０ｂが撮影オーダをそれぞれ受信すると、制御部４２ａ、４２ｂは、撮影オーダをオーダ情報記憶部４４ａ、４４ｂに記憶する。
【００４３】
被写体２６ａ、２６ｂに対する放射線撮影を含む検査の開始を指示するために、放射線技師２０ａ、２０ｂが検査開始ボタン６８ａ、６８ｂを押すと、制御部４２ａ、４２ｂは、オーダ情報記憶部４４ａ、４４ｂに記憶された撮影オーダをディスプレイ等の表示部４８ａ、４８ｂに表示させる。従って、各放射線技師２０ａ、２０ｂは、表示部４８ａ、４８ｂを見ることにより、同一の撮影オーダを見ることができる。
【００４４】
なお、撮影オーダには、（１）撮影依頼元（診療科）、（２）被写体２６ａ、２６ｂの年齢、性別、体型及びＩＤ番号等の患者情報、（３）被写体２６ａ、２６ｂの撮影部位（例えば、頭部、胸部、腹部）、（４）放射線撮影を担当する放射線技師２０ａ、２０ｂのＩＤ番号等の情報、（５）放射線撮影を行う撮影室の情報（第１撮影室１６ａ、第２撮影室１６ｂ）、（６）被写体２６ａ、２６ｂの撮影方法（例えば、立位撮影、臥位撮影）、（７）放射線撮影に使用する撮影装置（第１放射線撮像装置３０ａ、第２放射線撮像装置３０ｂ）の種類が含まれる。
【００４５】
撮影オーダについては、第１操作端末２２ａ又は第２操作端末２２ｂが発行することも可能である。この場合、オーダ管理装置１８は、上記（１）〜（３）のみ含む撮影依頼情報を発行し、放射線技師２０ａ、２０ｂは、第１操作端末２２ａ及び第２操作端末２２ｂを操作して、上記（１）〜（３）に基づき、（４）〜（７）を含めた撮影オーダを作成すればよい。
【００４６】
制御部４２ａ、４２ｂは、放射線技師２０ａ、２０ｂが被写体２６ａ、２６ｂの状況を見ながら撮影条件等を設定できるようにするため、放射線撮影に関わる撮影メニューを作成し、オーダ情報記憶部４４ａ、４４ｂに記憶する。前述のように、第１操作端末２２ａ及び第２操作端末２２ｂ間では、無線による信号の送受信が可能であるため、どちらかの制御部４２ａ、４２ｂが撮影メニューを作成し、無線により撮影メニューを送信することで、同じ撮影メニューを各表示部４８ａ、４８ｂに表示させることができる。
【００４７】
なお、撮影メニューには、（１）撮影オーダ、（２）被写体２６ａ、２６ｂの撮影部位、及び、該撮影部位に対する放射線２８ａ、２８ｂの照射方向を示す情報である手技、（３）放射線源２４ａ、２４ｂから被写体２６ａ、２６ｂに照射される放射線２８ａ、２８ｂの線量を決定するための撮影条件（放射線源２４ａ、２４ｂの管電圧、ｍＡｓ値（管電流と放射線２８ａ、２８ｂの照射時間との積）、ＳＩＤ（放射線源２４ａ、２４ｂと第１放射線撮像装置３０ａ及び第２放射線撮像装置３０ｂとの間の距離））が含まれる。
【００４８】
放射線技師２０ａ、２０ｂが検査開始ボタン６８ａ、６８ｂを押すことに起因して、表示部４８ａ、４８ｂが撮影メニューを表示した場合、放射線技師２０ａ、２０ｂは、被写体２６ａ、２６ｂの状況を見ながら入力操作部４６ａ、４６ｂを操作して、被写体２６ａ、２６ｂに対する放射線撮影での撮影条件及び手技を設定する。設定した撮影条件及び手技は、撮影条件記憶部５４ａ、５４ｂに記憶される。この場合、どちらかの入力操作部４６ａ、４６ｂに対する操作によって撮影条件等が設定された場合、設定後の撮影条件等が無線により送信され、各撮影条件記憶部５４ａ、５４ｂに記憶することができる。
【００４９】
なお、撮影条件のうち、ＳＩＤは、第１放射線撮像装置３０ａ及び第２放射線撮像装置３０ｂ毎に固定される場合が多い。そのため、撮影条件の設定において、放射線技師２０ａ、２０ｂは、被写体２６ａ、２６ｂの状況に応じて、装置固有のＳＩＤを考慮しつつ、放射線源２４ａ、２４ｂの管電圧及びｍＡｓ値を設定する。なお、ＳＩＤが固定されていない場合、撮影条件の設定では、ＳＩＤも調整可能である。
【００５０】
画像処理部５０ａ、５０ｂは、第１放射線撮像装置３０ａ及び第２放射線撮像装置３０ｂで取得された放射線画像に対して所定の画像処理を施す。第１放射線撮像装置３０ａ及び第２放射線撮像装置３０ｂで取得された放射線画像や、画像処理後の放射線画像は、画像記憶部５２ａ、５２ｂに記憶される。
【００５１】
従って、画像記憶部５２ａ、５２ｂに記憶された放射線画像は、表示部４８ａ、４８ｂに表示され、さらには、図示しない院内ネットワークを介して、医師による放射線画像の読影診断を行うためのビューアや、各種の医療機器で取得された各情報を受信して一元的に管理する医用画像情報システム（ＰＡＣＳ）にも送信される。なお、制御部４２ａ、４２ｂは、送受信部４０ａ、４０ｂから無線によりオーダ管理装置１８に放射線画像を送信してもよい。
【００５２】
ところで、放射線科１２において、放射線２８ａ、２８ｂの取り扱いに関して管理責任（大きな権限）を持つ放射線技師２０ｂと、一般の放射線技師２０ａ（例えば、小さな権限を有する経験の浅い放射線技師）とがチームとなって放射線科１２を運営する場合、放射線技師２０ａは、被写体２６ａ、２６ｂの状況に応じて、撮影オーダに含まれる放射線撮影に関わるパラメータであって、放射線２８ａ、２８ｂの線量に関わる情報である管電圧及びｍＡｓ値を適宜調整し、調整したパラメータを含む撮影オーダの内容について、放射線撮影を行う前に放射線技師２０ｂの承認を得る必要がある。
【００５３】
この場合、全ての放射線撮影に対して放射線技師２０ｂの承認を一々得るのでは、放射線技師２０ｂの負担が増大すると共に、撮影オーダの登録から放射線撮影の完了までの一連のワークフローの処理が煩雑となり、該ワークフローが遅延する原因となる。
【００５４】
そこで、本実施形態では、放射線技師２０ａ、２０ｂ毎に調整可能なパラメータの範囲（調整可能範囲）を当該放射線技師２０ａ、２０ｂの権限として付与する。そして、一般の放射線技師２０ａが調整したパラメータの値が基準範囲に納まっていれば、大きな権限を有する放射線技師２０ｂの承認を得ること無く、調整後のパラメータを含む撮影オーダ（撮影条件）にて放射線撮影を行うことができる。また、本実施形態では、放射線技師２０ａの調整したパラメータの値が基準範囲から外れている場合にのみ、放射線技師２０ｂの承認（指示）を得るようにしている。そして、放射線技師２０ｂの指示（承認）を得るまでは第１操作端末２２ａの操作が不許可となり、放射線技師２０ａは、放射線撮影を実行することができない。
【００５５】
具体的に、パラメータ範囲設定テーブル５６ａ、５６ｂには、撮影部位毎の適正なパラメータの範囲が規定されている。図３は、パラメータ範囲設定テーブル５６ａ、５６ｂの一例を示したものであり、被写体２６ａ、２６ｂの撮影部位、撮影方向、年齢及び体型毎に、パラメータ（図３ではｍＡｓ値）の適正範囲（上限、下限）を規定している。
【００５６】
また、図３では、新人の放射線技師２０ａの項目も設けられており、放射線技師２０ａとの関連で、パラメータの適正な範囲が規定されている。すなわち、図３に示すｍＡｓ値の規定範囲は、放射線技師２０ａが調整可能なパラメータの範囲（上限、下限）を示している。
【００５７】
この場合、放射線技師２０ａは、Ｘ１〜Ｘ２又はＸ３〜Ｘ４の範囲内において、放射線技師２０ｂの承認を得ることなく、パラメータの値を調整することができる。一方、規定範囲が定められていないものは、放射線技師２０ａは、調整したパラメータについて、放射線技師２０ｂの承認が必須であることを示している。
【００５８】
なお、図３では、放射線技師２０ｂに対する規定範囲が図示されていないが、当該放射線技師２０ｂに対しても同様のテーブルを設けてもよい。あるいは、後述するように、放射線技師２０ｂにはパラメータの調整に関して大きな権限が付与され、調整範囲については特に制限が設けられていないため、放射線技師２０ｂ用のテーブルは特に設けなくてもよい。
【００５９】
基準範囲設定部５８ａ、５８ｂは、撮影オーダに応じた撮影条件が設定される場合に、当該撮影条件中の各パラメータ（管電圧、ｍＡｓ値）の調整可能範囲を基準範囲として設定する。この場合、基準範囲設定部５８ａ、５８ｂは、パラメータ範囲設定テーブル５６ａ、５６ｂを参照して、当該撮影条件に適合する適正なパラメータの調整可能範囲（例えば、図３のＸ１〜Ｘ２、Ｘ３〜Ｘ４の範囲）を設定すればよい。従って、放射線技師２０ａが調整可能範囲を超えてパラメータを調整した場合、当該調整後のパラメータを含む撮影条件に従って放射線２８ａ、２８ｂが被写体２６ａ、２６ｂに照射されると、誤曝射となる可能性がある。
【００６０】
操作者属性判定部６０ａ、６０ｂは、放射線技師２０ａ、２０ｂの属性（一般放射線技師、放射線技師長）を判定する。具体的に、放射線技師２０ａ、２０ｂが入力操作部４６ａ、４６ｂを操作してログインユーザ情報、又は、第１操作端末２２ａ及び第２操作端末２２ｂの端末識別情報を入力した場合、操作者属性判定部６０ａ、６０ｂは、入力された情報から放射線技師２０ａ、２０ｂの属性を判定する。
【００６１】
調整許可範囲設定部６２ａ、６２ｂは、第１操作端末２２ａ及び第２操作端末２２ｂの操作者（放射線技師２０ａ、２０ｂ）に対して、操作者属性判定部６０ａ、６０ｂで判定された属性に従ってパラメータの調整可能範囲を設定し、設定した調整可能範囲を属性毎の権限として決定する。
【００６２】
この場合、属性が一般放射技師と放射線技師長とであれば、放射線技師長である放射線技師２０ｂの権限が最も大きく（パラメータの調整可能範囲に制限がなく）、経験の浅い放射線技師２０ａの権限が最も小さくなる。
【００６３】
また、調整許可範囲設定部６２ａ、６２ｂは、上記の絶対的権限に代えて、相対的権限で規定することも可能である。この場合、調整許可範囲設定部６２ａ、６２ｂは、放射線科１２の放射線技師毎に、異なる調整可能範囲を設定し、これらの相対的な権限を各放射線技師に付与すればよい。
【００６４】
設定範囲判定部６４ａ、６４ｂは、放射線技師２０ａ、２０ｂがパラメータを調整した場合に、調整後のパラメータの値が基準範囲設定部５８ａ、５８ｂで設定された基準範囲を外れているか否かを判定する。設定範囲判定部６４ａ、６４ｂは、調整後のパラメータの値が基準範囲を外れている場合には、外れている旨の通知を表示部４８ａ、４８ｂに表示させる。
【００６５】
また、設定範囲判定部６４ａは、放射線技師２０ａがパラメータを調整した場合に、調整後のパラメータの値が基準範囲を外れていれば、外れている旨の通知を、送受信部４０ａから無線により第２操作端末２２ｂに送信する。第２操作端末２２ｂの送受信部４０ｂが通知内容を受信すると、制御部４２ｂは、表示部４８ｂに通知内容を表示する。これにより、放射線技師２０ｂは、放射線技師２０ａが基準範囲を超えてパラメータを調整したことを把握することができる。
【００６６】
なお、放射線技師２０ｂは、パラメータの調整可能範囲に制限がないため、設定範囲判定部６４ｂは、放射線技師２０ｂがパラメータを調整した場合に、調整後のパラメータの値が基準範囲設定部５８ｂで設定された基準範囲を外れていても、外れている旨の通知を表示部４８ｂに表示させなくてもよい。
【００６７】
前述のように、調整許可範囲設定部６２ａ、６２ｂは、放射線技師２０ａ、２０ｂに対して、パラメータの調整可能範囲を権限として付与する。そこで、設定範囲判定部６４ａは、付与された権限（調整可能範囲）を超えて放射線技師２０ａがパラメータの値を調整した場合、当該権限を外れている旨の通知を表示部４８ａに表示させてもよい。
【００６８】
操作可否制御部６６ａ、６６ｂは、調整後のパラメータの値が基準範囲又は権限を超えている場合に、権限の大きな放射線技師（本実施形態では放射線技師２０ｂ）の承認又は指示があるまでは、入力操作部４６ａ、４６ｂ及び照射開始ボタン７２ａ、７２ｂの操作を無効（不許可）とする。なお、前述のように、放射線技師２０ｂは、パラメータの調整可能範囲に制限がないため、操作可否制御部６６ｂは、入力操作部４６ｂ及び照射開始ボタン７２ｂを操作可能な状態に維持してもよい。
【００６９】
ここで、放射線技師２０ａの調整したパラメータの値が基準範囲又は権限を超えていても、被写体２６ａの状況を鑑みれば適切な値であると放射線技師２０ｂが判断した場合、当該放射線技師２０ｂは、承認ボタン７０ｂを押す。これにより、操作可否制御部６６ｂは、送受信部４０ｂから無線により第１操作端末２２ａに承認した旨の通知を行う。第１操作端末２２ａの送受信部４０ａが通知内容を受信すると、操作可否制御部６６ａは、入力操作部４６ａ、照射開始ボタン７２ａの操作を許可する。
【００７０】
なお、放射線技師２０ａ、２０ｂは、表示部４８ａ、４８ｂを介して同じ情報（例えば、撮影オーダ、撮影メニュー）を見ることができるため、放射線技師２０ｂは、放射線技師２０ａの調整したパラメータの値が基準範囲又は権限を超えている場合には、入力操作部４６ｂを操作してパラメータの値を適正な範囲に調整することもできる。
【００７１】
この場合、放射線技師２０ｂは、表示部４８ｂに表示された撮影メニューを見ながら、入力操作部４６ｂを操作してパラメータの値を調整した後に承認ボタン７０ｂを押せばよい。これにより、操作可否制御部６６ｂは、送受信部４０ｂから無線により、放射線技師２０ｂが調整したパラメータの値及び承認した旨の通知を送信する。第１操作端末２２ａの送受信部４０ａが通知内容を受信すると、操作可否制御部６６ａは、入力操作部４６ａ及び照射開始ボタン７２ａの操作を許可すると共に、撮影条件記憶部５４ａに記憶されている撮影条件を、放射線技師２０ｂが調整したパラメータの値に応じた撮影条件に更新する。
【００７２】
撮影条件記憶部５４ａ、５４ｂに撮影条件等が記憶され、被写体２６ａ、２６ｂに対する撮影準備が完了した後に、放射線技師２０ａ、２０ｂが照射開始ボタン７２ａ、７２ｂを押すと、放射線２８ａ、２８ｂの出力を指示する制御信号と、撮影条件記憶部５４ａ、５４ｂに記憶された撮影条件とが、制御部４２ａ、４２ｂから送受信部４０ａ、４０ｂを介して無線により放射線源２４ａ、２４ｂに送信される。放射線源２４ａ、２４ｂは、受信した制御信号に基づいて、撮影条件に含まれる管電圧及びｍＡｓ値に応じた放射線２８ａ、２８ｂを所定時間出力する。これにより、被写体２６ａ、２６ｂを透過した放射線２８ａ、２８ｂは、第１放射線撮像装置３０ａ及び第２放射線撮像装置３０ｂに到達し、放射線画像に変換される。
【００７３】
［放射線画像撮影システム（操作権限管理システム）の動作］
本実施形態に係る放射線画像撮影システム１０は、以上のように構成されるものである。次に、放射線画像撮影システム１０の動作について、図４〜図６Ｂを参照しながら説明する。以下の説明では、必要に応じて、図１〜図３も参照しながら説明する。
【００７４】
ここでは、一例として、第１撮影室１６ａで被写体２６ａに対する放射線撮影を実行する際、経験の浅い放射線技師２０ａが第１操作端末２２ａを用いて撮影条件の設定等を行い、調整後のパラメータの値が基準範囲又は権限を超える場合に、大きな権限を有する放射線技師２０ｂの承認を得る場合について説明する。
【００７５】
ステップＳ１において、オーダ管理装置１８で撮影オーダが発行され、無線により第１操作端末２２ａ及び第２操作端末２２ｂに送信される。第１操作端末２２ａ及び第２操作端末２２ｂでは、送受信部４０ａ、４０ｂが撮影オーダを受信すると、制御部４２ａ、４２ｂは、受信した撮影オーダをオーダ情報記憶部４４ａ、４４ｂに記憶する。また、制御部４２ａ、４２ｂは、撮影オーダを用いて撮影メニューを作成し、オーダ情報記憶部４４ａ、４４ｂに記憶する。
【００７６】
次のステップＳ２において、基準範囲設定部５８ａは、オーダ情報記憶部４４ａに記憶された撮影オーダを参照し、当該撮影オーダに対応するパラメータの規定範囲を抽出する。
【００７７】
この場合、放射線技師２０ａは、予め、入力操作部４６ａを操作し、放射線技師２０ａのログインユーザ情報、又は、第１操作端末２２ａに応じた端末識別情報を入力する。これにより、操作者属性判定部６０ａは、入力されたログインユーザ情報又は端末識別情報から放射線技師２０ａが操作したと判定する。また、調整許可範囲設定部６２ａは、操作者属性判定部６０ａの判定結果に基づいて、放射線技師２０ａに応じたパラメータの調整可能範囲を決定し、決定した調整可能範囲を放射線技師２０ａの権限として設定する。
【００７８】
従って、基準範囲設定部５８ａは、オーダ情報記憶部４４ａに記憶された撮影オーダと、操作者属性判定部６０ａの判定結果（放射線技師２０ａの属性）とに応じた撮影条件及びパラメータの規定範囲を抽出する。
【００７９】
なお、放射線技師２０ｂも同様に、予め、入力操作部４６ｂを操作し、放射線技師２０ｂのログインユーザ情報、又は、第２操作端末２２ｂに応じた端末識別情報を入力する。これにより、操作者属性判定部６０ｂは、入力されたログインユーザ情報又は端末識別情報から放射線技師２０ｂが操作したと判定する。また、調整許可範囲設定部６２ｂは、操作者属性判定部６０ｂの判定結果に基づいて、放射線技師２０ｂに応じたパラメータの調整可能範囲を決定し、決定した調整可能範囲を放射線技師２０ｂの権限として設定する。
【００８０】
ステップＳ３において、基準範囲設定部５８ａは、抽出したパラメータの規定範囲に基づいて、放射線技師２０ａがパラメータを調整する際の基準範囲を設定する。
【００８１】
次のステップＳ４において、被写体２６ａに対する放射線撮影を含む検査の開始を指示するため、放射線技師２０ａが検査開始ボタン６８ａを押すと、制御部４２ａは、オーダ情報記憶部４４ａに記憶された撮影メニューを読み出し、表示部４８ａに表示させる。放射線技師２０ａは、表示部４８ａに表示された撮影メニューを見て、被写体２６ａである患者を呼び出し、被写体２６ａに対する放射線撮影の撮影準備を実行する。
【００８２】
次のステップＳ５において、設定範囲判定部６４ａは、放射線技師２０ａが入力操作部４６ａを操作して、撮影条件中のパラメータ（管電圧、ｍＡｓ値等）を調整したか否かを判定する。被写体２６ａの状況を見て、放射線技師２０ａが撮影条件のパラメータを変更する必要があると判断し、当該パラメータを調整した場合（ステップＳ５：ＹＥＳ）、次のステップＳ６において、設定範囲判定部６４ａは、調整したパラメータの値が基準範囲又は権限内に納まっているか否かを判定する。
【００８３】
図５Ａ及び図５Ｂは、ステップＳ６の判定処理を概略的に図示した説明図である。また、図６Ａ及び図６Ｂは、放射線技師２０ａが表示部４８ａの表示内容を見ながら入力操作部４６ａを操作してパラメータを調整する際の画面表示を図示した説明図であり、一例として、表示部４８ａ及び入力操作部４６ａを組み込んだタッチパネルの画面表示を図示している。
【００８４】
図５Ａの例では、ｍＡｓ値がＸ５〜Ｘ６の範囲が基準範囲であると共に、放射線技師２０ａに与えられた権限（パラメータの調整可能範囲）を図示している。ここで、撮影オーダに示されたｍＡｓ値がＸ７であったが、放射線技師２０ａは、被写体２６ａの状況から、ｍＡｓ値を高く設定する必要があると判断した。例えば、被写体２６ａが非常に体格がよいので、放射線技師２０ａは、通常の線量では不足すると判断し、線量を高めに設定するために、ｍＡｓ値を高く設定する必要があると判断した。
【００８５】
この場合、放射線技師２０ａがｍＡｓ値をＸ８に調整すれば、基準範囲内での調整であるため、調整したｍＡｓ値に対して放射線技師２０ｂの承認は不要（ステップＳ６：ＹＥＳ）である。一方、放射線技師２０ａがｍＡｓ値をＸ８´に調整すれば、基準範囲及び権限を超えて調整しているため、調整したｍＡｓ値に対して、放射線技師２０ｂの承認が必要となる（ステップＳ６：ＮＯ）である。
【００８６】
図５Ｂの例では、ｍＡｓ値がＸ５〜Ｘ６の範囲が基準範囲であると共に、放射線技師２０ａに与えられた権限がＸ９〜Ｘ１０の範囲であることを図示している。ここで、放射線技師２０ａは、被写体２６ａの状況から、ｍＡｓ値を高く設定する必要があると判断した。この場合、放射線技師２０ａがｍＡｓ値をＸ１１に調整すれば、権限内での調整であるため、調整したｍＡｓ値に対して放射線技師２０ｂの承認は不要（ステップＳ６：ＹＥＳ）である。一方、放射線技師２０ａがｍＡｓ値をＸ１１´に調整すれば、権限を超えて調整しているため、調整したｍＡｓ値に対して、放射線技師２０ｂの承認が必要となる（ステップＳ６：ＮＯ）である。なお、Ｘ５〜Ｘ１２の範囲は、放射線技師２０ｂの権限を示している。
【００８７】
また、放射線技師２０ａがパラメータを調整する場合、図６Ａ及び図６Ｂのような画面表示であることが好ましい。
【００８８】
図６Ａの例では、パラメータである管電圧（ｋＶ）、ｍＡｓ値、照射時間（ｍｓ）、ＳＩＤの調整範囲が最小値（ｍｉｎ）から最大値（ｍａｘ）までの直線で画面上に表示され、直線上でスクロールバーを左右に動かすことにより、パラメータの値を調整可能である。この場合、スクロールバーを左側に動かすと直線が短くなり、一方で、スクロールバーを右側に動かすと直線が長くなるような画面表示であることが好ましい。
【００８９】
なお、図６Ａでは、ＳＩＤも調整可能であるが、前述のように、ＳＩＤが装置固有の値であれば、ＳＩＤに関する表示内容が画面上に表示されないことは勿論である。
【００９０】
図６Ｂの例では、被写体２６ａの撮影部位毎に、パラメータである管電圧（ｋＶ）、ｍＡｓ値、照射時間（ｍｓ）が画面表示されている。この場合、撮影対象部位について、管電圧、ｍＡｓ値、照射時間のテキストボックスに所望の数値を入力することにより、パラメータの値を調整することができる。
【００９１】
なお、図６Ｂでは、照射時間（ｍｓ）も表示されているが、ｍＡｓ値に照射時間が含まれているため、照射時間（ｍｓ）の表示については、省略してもよい。
【００９２】
そして、ステップＳ６において、放射線技師２０ａの調整したパラメータの値が基準範囲又は権限を超えている場合（ステップＳ６：ＮＯ）、次のステップＳ７において、操作可否制御部６６ａは、当該パラメータの値について放射線技師２０ｂによる承認が必要と判断し、放射線技師２０ａによる第１操作端末２２ａの操作を禁止する。
【００９３】
具体的に、操作可否制御部６６ａは、放射線技師２０ａが入力操作部４６ａ及び照射開始ボタン７２ａを操作しても、その操作を無効（不許可）にする。また、操作可否制御部６６ａは、第１操作端末２２ａを操作しても、当該操作が無効になることを、表示部４８ａを介して放射線技師２０ａに報知してもよい。
【００９４】
ステップＳ８において、操作可否制御部６６ａは、調整したパラメータの値が基準範囲又は権限を超えている旨の判定結果と、調整したパラメータの値とを、送受信部４０ａから無線により第２操作端末２２ｂに送信する。第２操作端末２２ｂの送受信部４０ｂが判定結果及びパラメータの値を受信すると、制御部４２ｂは、受信した判定結果及びパラメータの値と、オーダ情報記憶部４４ｂに記憶された撮影メニューとを表示部４８ｂに表示する。
【００９５】
ステップＳ９において、放射線技師２０ｂは、表示部４８ｂの表示内容を確認し、パラメータの値を修正する必要があれば、適切なパラメータの値に修正するように入力操作部４６ｂを操作する。この場合、放射線技師２０ｂは、被写体２６ａを見ながら、表示部４８ｂに表示された放射線技師２０ａが調整したパラメータの値を確認し、当該パラメータの値が適切であるか否かを判断した上で、必要に応じてパラメータの値を修正すればよい。
【００９６】
次のステップＳ１０において、放射線技師２０ｂが承認ボタン７０ｂを押すと、オーダ情報記憶部４４ｂに記憶された撮影オーダ及び撮影条件記憶部５４ｂに記憶された撮影条件が、放射線技師２０ａが調整したパラメータの値、又は、放射線技師２０ｂが修正したパラメータの値に応じた撮影オーダ及び撮影条件に更新されると共に、承認結果と、更新後の撮影オーダ及び撮影条件とが、送受信部４０ｂから無線により第１操作端末２２ａに送信される。
【００９７】
第１操作端末２２ａにおいて、制御部４２ａは、送受信部４０ａが承認結果と更新後の撮影オーダ及び撮影条件とを受信すると、放射線技師２０ｂの承認が得られたと判断し（ステップＳ１１：ＹＥＳ）、オーダ情報記憶部４４ａに記憶された撮影オーダと撮影条件記憶部５４ａに記憶された撮影条件とを、受信した撮影オーダ及び撮影条件に更新する（ステップＳ１２）。
【００９８】
また、制御部４２ａは、受信した承認結果を表示部４８ａに表示させる（ステップＳ１３）。これにより、放射線技師２０ａは、放射線技師２０ｂからの承認が得られたことを把握することができる。
【００９９】
さらに、操作可否制御部６６ａは、承認結果に基づいて、放射線技師２０ａによる入力操作部４６ａ及び照射開始ボタン７２ａの操作を許可する（ステップＳ１４）。
【０１００】
この結果、次のステップＳ１５において、第１放射線撮像装置３０ａを用いた被写体２６ａに対する放射線撮影が実行される。
【０１０１】
この場合、放射線技師２０ａは、表示部４８ａに表示された撮影条件に従って、放射線源２４ａと第１放射線撮像装置３０ａとの距離をＳＩＤに調整した後に、被写体２６ａを第１放射線撮像装置３０ａにポジショニングする。
【０１０２】
上記の撮影準備が完了すると、放射線技師２０ａは、照射開始ボタン７２ａを押して、被写体２６ａに対する放射線撮影を開始させる。これにより、制御部４２ａは、放射線２８ａの出力を指示する制御信号と、撮影条件記憶部５４ａに記憶された撮影条件とを、送受信部４０ａから無線により放射線源２４ａに送信する。放射線源２４ａは、受信した制御信号に基づいて、撮影条件に含まれる管電圧及びｍＡｓ値に応じた放射線２８ａを所定時間出力する。これにより、放射線２８ａが被写体２６ａに照射され、該被写体２６ａを透過した放射線２８ａは、第１放射線撮像装置３０ａに到達して放射線画像に変換される。
【０１０３】
第１放射線撮像装置３０ａは、放射線画像を無線により第１操作端末２２ａに送信する。第１操作端末２２ａの送受信部４０ａで受信された放射線画像は、画像記憶部５２ａに一旦記憶され、画像処理部５０ａで所定の画像処理が施された後、表示部４８ａに表示される。画像処理後の放射線画像は、画像記憶部５２ａに記憶されると共に、送受信部４０ａから無線により第２操作端末２２ｂに送信される。また、送受信部４０ａは、院内ネットワークを介して、ビューア及びＰＡＣＳにも放射線画像を送信する。なお、送受信部４０ａは、無線を介して、オーダ管理装置１８に放射線画像を送信してもよい。
【０１０４】
図４のステップＳ５において、撮影オーダの示す撮影条件のパラメータに特に問題がなく調整が不要である場合（ステップＳ５：ＮＯ）、又は、ステップＳ６において、放射線技師２０ａにより調整したパラメータの値が基準範囲又は権限内に納まっている場合（ステップＳ６：ＹＥＳ）には、放射線技師２０ｂの承認は不要である。従って、放射線技師２０ａは、ステップＳ１５において、当初の撮影オーダの示す撮影条件、又は、調整したパラメータの値を含む撮影条件に従って、被写体２６ａに対する放射線撮影を実行することができる。
【０１０５】
［本実施形態の効果］
以上説明したように、本実施形態によれば、放射線技師２０ａが調整したパラメータが基準範囲又は放射線技師２０ａの権限内に納まっていれば、放射線撮影に関して所定の権限（放射線技師２０ａよりも大きな権限）を付与された放射線技師２０ｂの承認を得ること無く、調整後のパラメータを含む撮影オーダにて放射線撮影が行われる。また、放射線技師２０ａが調整したパラメータが基準範囲又は権限から外れていれば、放射線技師２０ｂの承認（指示入力）を得るまでは第１操作端末２２ａの操作が不許可となり、放射線撮影が実行されない。
【０１０６】
これにより、放射線技師２０ａが不適切なパラメータを設定して放射線撮影を行うことに起因して、被写体２６ａに対する誤曝射が発生することが回避され、当該被写体２６ａの負担を軽減することができる。
【０１０７】
また、放射線技師２０ａが調整したパラメータが基準範囲又は権限から外れた場合にのみ放射線技師２０ｂの承認が必要となるため、承認に対する判断のために放射線技師２０ｂが費やす時間が削減され、当該放射線技師２０ｂの負担を軽減することができる。放射線技師２０ａについても、放射線技師２０ｂに対して承認を求めるべきかどうかを考えること無く、放射線撮影に関わる作業を行うことができ、当該作業に対する判断に迷うことも無くなる。
【０１０８】
このように、本実施形態では、必要な条件下（パラメータが基準範囲から外れた場合）でのみ放射線技師２０ｂの承認が必要なワークフローとなっているため、誤曝射による被写体２６ａの負担増を回避すると共に、当該ワークフローの手間を軽減して効率の良い放射線撮影を実現することができる。この結果、ワークフローの遅延が回避され、放射線画像撮影システム１０を採用している施設の信頼性を確保することができる。
【０１０９】
また、本実施形態では、放射線技師２０ａ、２０ｂ毎に基準範囲が設定される。例えば、放射線技師２０ｂであれば基準範囲を広範囲に設定して大きな権限を与え、一方で、放射線技師２０ａについては、基準範囲を狭く設定して小さな権限に留める。このように、放射線技師２０ａ、２０ｂの技量（レベル）に応じて基準範囲（権限）を調整することにより、上述の効果を容易に達成することができる。
【０１１０】
ここで、パラメータは、放射線２８ａ、２８ｂの線量に関わる情報を含み、撮影条件は、被写体２６ａ、２６ｂに関わる情報、放射線技師２０ａ、２０ｂに関わる情報、第１放射線撮像装置３０ａ及び第２放射線撮像装置３０ｂに関わる情報を含むので、撮影条件の組み合わせ毎に基準範囲を設定することが可能となる。なお、放射線２８ａ、２８ｂの線量に関わる情報には、管電圧、ｍＡｓ値、ＳＩＤが含まれ、被写体２６ａ、２６ｂに関わる情報としては、被写体２６ａ、２６ｂの撮影部位、年齢、性別、体型が含まれ、第１放射線撮像装置３０ａ及び第２放射線撮像装置３０ｂに関わる情報としては、当該第１放射線撮像装置３０ａ及び第２放射線撮像装置３０ｂの種類を含めてもよい。
【０１１１】
また、調整許可範囲設定部６２ａ、６２ｂは、放射線技師２０ａ、２０ｂの属性が一般放射線技師及び放射線技師長である場合に、一般放射線技師及び放射線技師長毎にパラメータの調整可能範囲を権限として設定してもよいし、あるいは、放射線技師２０ａ、２０ｂ毎にパラメータの調整可能範囲を権限として設定し、設定した調整可能範囲の大きさに応じて権限の順位を定めてもよい。
【０１１２】
さらに、放射線技師２０ｂが第２操作端末２２ｂを操作してパラメータに対する指示入力を行った場合、操作可否制御部６６ａ、６６ｂは、パラメータの再調整を禁止してもよい。これにより、権限のある放射線技師２０ｂが一旦決定したパラメータについて、放射線技師２０ａは再操作できなくなる。この結果、パラメータの値が勝手に変更されて、被写体２６ａ、２６ｂに対する誤曝射が発生することを確実に回避することができる。
【０１１３】
また、放射線技師２０ａが第１操作端末２２ａを操作することにより放射線撮影が指示されると、操作可否制御部６６ａは、第１操作端末２２ａ及び第２操作端末２２ｂでの当該放射線撮影に対応する撮影オーダの調整を禁止してもよい。これにより、一旦決定したパラメータを含む撮影オーダについて、当該パラメータが勝手に再調整されることを確実に阻止することができる。なお、禁止対象の撮影オーダ以外の撮影オーダ（例えば、撮影待ちのオーダ）については、撮影オーダの調整を許可してもよい。
【０１１４】
さらに、放射線技師２０ａが第１操作端末２２ａを操作することにより放射線撮影が指示されると、操作可否制御部６６ａ、６６ｂは、第１操作端末２２ａ及び第２操作端末２２ｂに対する所定の操作を不許可とすればよい。この場合でも、一旦決定したパラメータを含む撮影オーダについて、当該パラメータが勝手に再調整されることを確実に阻止することができる。なお、不許可となる所定の操作としては、例えば、第１操作端末２２ａ及び第２操作端末２２ｂについての全ての操作、又は、撮影オーダの調整に関わる操作がある。
【０１１５】
なお、本実施形態では、放射線技師２０ａが経験の浅い放射線技師であり、放射線技師２０ｂが放射線技師長である場合について説明した。本実施形態では、放射線技師２０ｂは、放射線技師２０ａよりも大きな権限を有する技師であればよく、放射線技師長である必要はない。すなわち、放射線技師２０ｂは、放射線技師２０ａよりも大きな権限を有する技師の承認を得ればよい。
【０１１６】
また、本実施形態では、放射線技師２０ａが承認を得るための承認者を動的に決められるようにしてもよい。例えば、放射線技師２０ａよりも一定以上大きな権限を与えられている複数の放射線技師のうち、一番近くにいると思われる放射線技師を放射線技師２０ｂとして承認を求めてもよい。
【０１１７】
また、放射線科１２における勤怠システムと連動して、同一の第１撮影室１６ａ及び第２撮影室１６ｂで業務を行っている上位の放射線技師を放射線技師２０ｂとして最優先に選択する等、既知の任意の管理システムを活用して、承認者である放射線技師２０ｂを選定してもよい。
【０１１８】
また、承認者である放射線技師２０ｂは、１名でも複数名でもよい。放射線技師２０ｂが複数の場合、誰か１人の承認を得てもよいし、あるいは、全員の承認を得るようにしてもよい。この場合、放射線技師２０ａが調整したパラメータの値と基準範囲との関係で、承認者の人数を決めてもよい。例えば、調整したパラメータの値が基準範囲から僅かに外れている場合には、１人の放射線技師２０ｂの承認を得る必要があるが、大きく外れている場合には、複数人又は全員の承認を必要としてもよい。
【０１１９】
また、本実施形態では、オーダ管理装置１８から第１操作端末２２ａ及び第２操作端末２２ｂに撮影オーダ等が送信され、第１操作端末２２ａ及び第２操作端末２２ｂ間で各種の情報をやり取りする場合を説明したが、オーダ管理装置１８で情報を一元的に管理し、第１操作端末２２ａ及び第２操作端末２２ｂは、オーダ管理装置１８で管理された情報を参照する形にしてもよい。そのため、図３に示すテーブルについても、オーダ管理装置１８で管理して、第１操作端末２２ａ及び第２操作端末２２ｂが参照する形にしてもよい。また、図３に示すテーブル中の規定範囲（上限、下限）についても、撮影オーダに含めてもよい。
【０１２０】
また、本実施形態において、図４のステップＳ８の第２操作端末２２ｂへの通知についても、自動的な通知に代えて、放射線技師２０ａが放射線技師２０ｂに直接伝えるようにしてもよい。さらに、図４のステップＳ９において、放射線技師２０ｂは、自分で被写体２６ａを見に行った上でパラメータの調整を行ってもよいし、経験的に許容できそうなパラメータの値か否かを撮影オーダから判断してもよい。また、図４のステップＳ１０〜Ｓ１３において、放射線技師長を通して実施した撮影なのか否かを後から確認できるように、承認者が誰であったのかという情報も、撮影オーダに含めて記録されていることが望ましい。
【０１２１】
なお、この発明は、上述した実施形態に限定されるものではなく、この発明の主旨を逸脱しない範囲で自由に変更できることは勿論である。
【符号の説明】
【０１２２】
１０…放射線画像撮影システム              １８…オーダ管理装置
２０ａ、２０ｂ…放射線技師                ２２ａ…第１操作端末
２２ｂ…第２操作端末                      ２４ａ、２４ｂ…放射線源
２６ａ、２６ｂ…被写体                    ２８ａ、２８ｂ…放射線
３０ａ…第１放射線撮像装置                ３０ｂ…第２放射線撮像装置
４０ａ、４０ｂ…送受信部                  ４２ａ、４２ｂ…制御部
４４ａ、４４ｂ…オーダ情報記憶部          ４６ａ、４６ｂ…入力操作部
４８ａ、４８ｂ…表示部                    ５４ａ、５４ｂ…撮影条件記憶部
５６ａ、５６ｂ…パラメータ範囲設定テーブル
５８ａ、５８ｂ…基準範囲設定部            ６０ａ、６０ｂ…操作者属性判定部
６２ａ、６２ｂ…調整許可範囲設定部        ６４ａ、６４ｂ…設定範囲判定部
６６ａ、６６ｂ…操作可否制御部            ６８ａ、６８ｂ…検査開始ボタン
７０ａ、７０ｂ…承認ボタン                ７２ａ、７２ｂ…照射開始ボタン
【図１】
2015043912.tif 000003
【図２】
2015043912.tif 000004
【図３】
2015043912.tif 000005
【図４】
2015043912.tif 000006
【図５】
2015043912.tif 000007
【図６】
2015043912.tif 000008